(57)【要約】      （修正有）【課題】ピッチャーからジョッキにビール等を注ぐ際に、新たな泡の層を形成することができるピッチャーを提供する。【解決手段】液体を注ぐ第１注ぎ口４および液体を泡状にして注ぐ第２注ぎ口５を備えたピッチャー１であって、前記第２注ぎ口５は、前記容器本体２と連通し、前記液体が貯留される貯留部１０、前記貯留部１０と連通し、水平方向に噴出口が形成されたインナーノズル、および前記インナーノズルに着脱可能に取り付けられ、水平方向から下方へと折れ曲がった形状のアウターノズル１３から構成され、前記貯留部１０には、前記貯留部内の液体を圧縮して前記インナーノズルへと送るピストンが設けられ、前記ピストンによって、前記貯留部１０から前記インナーノズルへと送られた前記液体は、前記インナーノズルの前記噴出口から前記アウターノズル１３内へと噴射されて泡状となって注がれる。【選択図】図１
2014110837.tif 000002
【特許請求の範囲】
【請求項１】
容器本体に、持ち手、および２つの注ぎ口を設けたピッチャーであって、
前記２つの注ぎ口は、前記容器本体内の液体を注ぐ第１注ぎ口、および前記液体を泡状にして注ぐ第２注ぎ口であり、
前記第１注ぎ口は、前記容器本体の側面の上方に設けられ、
前記第２注ぎ口は、前記容器本体と連通し、前記液体が貯留される貯留部、前記貯留部と連通し、水平方向に噴出口が形成されたインナーノズル、および前記インナーノズルに着脱可能に取り付けられ、水平方向から下方へと折れ曲がった形状のアウターノズルから構成され、
前記貯留部には、前記貯留部内の液体を圧縮して前記インナーノズルへと送るピストンが設けられ、
前記ピストンによって、前記貯留部から前記インナーノズルへと送られた前記液体は、前記インナーノズルの前記噴出口から前記アウターノズル内へと噴射されて泡状となって注がれることを特徴とするピッチャー。
【請求項２】
前記貯留部と前記容器本体とは、前記第１注ぎ口の下方に位置し、水平方向に形成されて前記容器本体と接続された第１通路によって連通されており、
前記貯留部と前記インナーノズルは、前記貯留部の側面に位置し、垂直方向に形成されて下端部が前記貯留部の下方と接続され、上端部が前記インナーノズルと接続された第２通路によって連通されていることを特徴とする請求項１に記載のピッチャー。  
【請求項３】
前記アウターノズルの水平部分の内部には、前記噴出口と対向し、前記噴出口から噴射された前記液体が衝突する位置に壁部が形成されており、
前記噴出口から噴出されて前記壁部と衝突した前記液体は分散され、前記壁部と前記インナーノズルとの間に形成された空間に移動し攪拌されて泡状になり、前記泡状となった液体が前記壁部の上方を通過して前記アウターノズルの先端から外部に注がれることを特徴とする請求項２に記載のピッチャー。
【請求項４】
前記アウターノズルの水平部分の内部には、孔が設けられた壁部が前記噴出口の正面に形成されており、
前記噴出口から噴出された前記液体は前記壁部と衝突して分散され、前記壁部と前記インナーノズルとの間に形成された空間内で攪拌されて泡状になり、前記泡状となった液体が前記壁部の前記孔を通過して前記アウターノズルの先端から外部に注がれることを特徴とする請求項２に記載のピッチャー。
【請求項５】
前記貯留部および前記第２通路の底面は、取り外し可能なハウジングキャップによって開放可能に形成されており、前記ハウジングキャップに設けられたパッキンによって前記貯留部および前記第２通路の底面が密閉されていることを特徴とする請求項２〜４のいずれか１項に記載のピッチャー。
【請求項６】
前記ハウジングキャップの底面には、前記ピストンによる前記貯留部下方への力を支持するための支持台が設けられていることを特徴とする請求項５に記載のピッチャー。
【請求項７】
前記貯留部は前記第1注ぎ口の下方に配置され、前記ピストンを操作するために前記ピストンの上に設けられた棒状の把持部が、前記第1注ぎ口を貫通する開口部から上方に突出していることを特徴とする請求項１から６のいずれか１項に記載のピッチャー。
【発明の詳細な説明】
【技術分野】
【０００１】
本発明は、ビール等の発泡性の飲料を収容しジョッキ等に注ぐピッチャーに関する。
【背景技術】
【０００２】
飲食店等でビール等の発泡性の飲料を来店者に提供する際に、一般的な方法としては、サーバーから直接ジョッキにビールを注いで提供する方法と、特許文献１に記載されているようなピッチャーに数人分のビールを入れて来店者に提供し、来店者が必要に応じてジョッキに注ぐ方法がある。
【０００３】
ビール等の発泡性の飲料を提供する際には、口当たり、味覚、見た目等の点から泡の層を綺麗に形成することが求められるので、サーバーからビールを注ぐ際には、ジョッキを傾けて高圧でビールを注ぐことで綺麗な泡の層を形成している。
【先行技術文献】
【特許文献】
【０００４】
【特許文献１】特開２００８−２２９８９号公報
【発明の概要】
【発明が解決しようとする課題】
【０００５】
サーバーから店員が直接ジョッキにビールを注ぐ場合には、サーバから高圧でビールを注ぐので注ぎ方を注意すれば泡の層を綺麗に形成することができるが、一度ピッチャーに入れた後でジョッキに小分けする場合には、前記ピッチャーにビールを注ぐ際に綺麗に泡の層を形成したとしても、時間の経過にともない泡の層が消滅する、あるいはピッチャーからジョッキに注ぐ際に圧力を加えることができないために泡の層を綺麗な状態で形成できないという問題がある。
【０００６】
このような問題を解消するために、ピッチャーおよびピッチャーカバーを改良し、ジョッキにビールを注ぐ際に泡を形成し易くしたもの（特許文献１参照）があるが、ビールを注ぐ際にジョッキに衝突したビールから泡を形成するものであり、ピッチャーから注がれるビールはサーバーから注がれるビールの様に加圧されたものではないために、十分な泡の層を形成することは出来ない。
【０００７】
そこで、本発明は従来の問題を解決するために、ピッチャーからジョッキにビール等を注ぐ際に、加圧してビールを噴射することでビールの泡を新たに形成することができるピッチャーを提供することを目的とする。
【課題を解決するための手段】
【０００８】
本発明のピッチャーは、容器本体に、持ち手、および２つの注ぎ口を設けたピッチャーであって、前記２つの注ぎ口は、前記容器本体内の液体を注ぐ第１注ぎ口、および前記液体を泡状にして注ぐ第２注ぎ口であり、前記第１注ぎ口は、前記容器本体の側面の上方に設けられ、前記第２注ぎ口は、前記容器本体と連通し、前記液体が貯留される貯留部、前記貯留部と連通し、水平方向に噴出口が形成されたインナーノズル、および前記インナーノズルに着脱可能に取り付けられ、水平方向から下方へと折れ曲がった形状のアウターノズルから構成され、前記貯留部には、前記貯留部内の液体を圧縮して前記インナーノズルへと送るピストンが設けられ、前記ピストンによって、前記貯留部から前記インナーノズルへと送られた前記液体は、前記インナーノズルの前記噴出口から前記アウターノズル内へと噴射されて泡状となって注がれることを特徴とする。
【０００９】
また、前記貯留部と前記容器本体とは、前記第１注ぎ口の下方に位置し、水平方向に形成されて前記容器本体と接続された第１通路によって連通されており、前記貯留部と前記インナーノズルは、前記貯留部の側面に位置し、垂直方向に形成されて下端部が前記貯留部の下方と接続され、上端部が前記インナーノズルと接続された第２通路によって連通されている。
【００１０】
さらに、前記アウターノズルの水平部分の内部には、前記噴出口と対向し、前記噴出口から噴射された前記液体が衝突する位置に壁部が形成されており、前記噴出口から噴出されて前記壁部と衝突した前記液体は分散され、前記壁部と前記インナーノズルとの間に形成された空間に移動し攪拌されて泡状になり、前記泡状となった液体が前記壁部の上方を通過して前記アウターノズルの先端から外部に注がれる。
【００１１】
または、前記アウターノズルの水平部分の内部には、孔が設けられた壁部が前記噴出口の正面に形成されており、前記噴出口から噴出された前記液体は前記壁部と衝突して分散され、前記壁部と前記インナーノズルとの間に形成された空間内で攪拌されて泡状になり、前記泡状となった液体が前記壁部の前記孔を通過して前記アウターノズルの先端から外部に注がれるものとすることもできる。
【００１２】
前記貯留部および前記第２通路の底面は、取り外し可能なハウジングキャップによって開放可能に形成されており、前記ハウジングキャップに設けられたパッキンによって前記貯留部および前記第２通路の底面が密閉されており、前記ハウジングキャップの底面には、前記ピストンによる前記貯留部下方への力を支持するための支持台が設けられている。
【００１３】
前記貯留部は前記第1注ぎ口の下方に配置され、前記ピストンを操作するために前記ピストンの上に設けられた棒状の把持部が、前記第1注ぎ口を貫通する開口部から上方に突出している。
【発明の効果】
【００１４】
本発明のピッチャーは、容器本体に、持ち手、および２つの注ぎ口を設けたピッチャーであって、前記２つの注ぎ口は、前記容器本体内の液体を注ぐ第１注ぎ口、および前記液体を泡状にして注ぐ第２注ぎ口であり、前記第１注ぎ口は、前記容器本体の側面の上方に設けられ、前記第２注ぎ口は、前記容器本体と連通し、前記液体が貯留される貯留部、前記貯留部と連通し、水平方向に噴出口が形成されたインナーノズル、および前記インナーノズルに着脱可能に取り付けられ、水平方向から下方へと折れ曲がった形状のアウターノズルから構成され、前記貯留部には、前記貯留部内の液体を圧縮して前記インナーノズルへと送るピストンが設けられ、前記ピストンによって、前記貯留部から前記インナーノズルへと送られた前記液体は、前記インナーノズルの前記噴出口から前記アウターノズル内へと噴射されて泡状となって注がれることにより、ジョッキにビール等を注いだ後、ピストンを押して、ジョッキに注がれたビールの上に新たな泡の層を形成することが可能となり、ピッチャーを用いた場合でも綺麗な泡の層をその都度形成することが可能となる。
【００１５】
さらに、前記アウターノズルの水平部分の内部には、前記噴出口と対向し、前記噴出口から噴射された前記液体が衝突する位置に壁部が形成されており、前記噴出口から噴出されて前記壁部と衝突した前記液体は分散され、前記壁部と前記インナーノズルとの間に形成された空間に移動し攪拌されて泡状になり、前記泡状となった液体が前記壁部の上方を通過して前記アウターノズルの先端から外部に注がれることにより、よりきめ細かな綺麗な泡の層を形成することが可能となる。
【００１６】
または、前記アウターノズルの水平部分の内部には、孔が設けられた壁部が前記噴出口の正面に形成されており、前記噴出口から噴出された前記液体は前記壁部と衝突して分散され、前記壁部と前記インナーノズルとの間に形成された空間内で攪拌されて泡状になり、前記泡状となった液体が前記壁部の前記孔を通過して前記アウターノズルの先端から外部に注がれることにより、前記泡状となった液体を前記孔をつ浮かせることでさらに加圧してよりきめ細かな泡状とすることが可能となる。
【００１７】
前記貯留部および前記第２通路の底面は、取り外し可能なハウジングキャップによって開放可能に形成されており、前記ハウジングキャップに設けられたパッキンによって前記貯留部および前記第２通路の底面が密閉されていることにより、前記貯留部および第２通路内の洗浄を容易に行うことが可能となる。
【図面の簡単な説明】
【００１８】
【図１】本発明のピッチャーの斜視図である。
【図２】本発明のピッチャーの側面図である。
【図３】本発明のピッチャーの正面図である。
【図４】本発明のピッチャーの平面面図である。
【図５】図４のＡ−Ａ断面図である。
【図６】図４のＢ−Ｂ断面図である。
【図７】インナーノズルおよびアウターノズルの拡大断面図である。
【図８】ピッチャーを傾けて、飲料を注いでいる状態を示す断面図である。
【図９】ピッチャーを傾けて、飲料を注いでいる状態を示す断面図である。
【図１０】貯留部にビールを貯留した状態を示す断面図である。
【図１１】貯留部にビールを貯留した状態を示す断面図である。
【図１２】ピストンを作動させた状態を示す断面図である。
【図１３】インナーノズルおよび別の形態のアウターノズルの拡大断面図である。
【図１４】アウターノズル内に設けた壁部の正面図である。
【発明を実施するための形態】
【００１９】
本発明を、図を用いて以下に詳細に説明する。図１が本発明のピッチャー１の斜視図であり、図２〜４が本発明のピッチャー１の側面図、正面図、平面図である。
【００２０】
本発明のピッチャー１は、図１に示すように、持ち手３、第１注ぎ口４および第２注ぎ口５を設けた容器本体２と、容器本体２に被せられる蓋６からなる。前記ピッチャー１の容量としては、ビール等の発泡性の飲料を入れることを想定し、１．８Ｌ程度とする。飲料の種類は限定するものではない。また、前記ピッチャー１の材質も樹脂を用いて形成することを想定しているが、これに限定するものではない。
【００２１】
前記容器本体２は、図５の断面図に示すように、内側部７と外側部８からなる２重構造の略円筒形であり、前記内側部７は上端部を外側に折り返した形状で、折り返した部分の下端が前記外側部８と固定されており、前記内側部７と前記外側部８との間に空間を設けることで前記容器本体２の保冷性を高めている。そして、前記容器本体２の外側部８の側面に前記持ち手３が一体形成され、前記容器本体２の内側部７の折り返し部分の前記持ち手３と対向する位置に前記第１注ぎ口４および前記第２注ぎ口５が形成されている。
【００２２】
図４に示すように、前記第１注ぎ口４は、従来のピッチャーの注ぎ口と同様の平面が略Ｖ字状の一般的な形状を有するものであり、前記容器本体２内に収容された例えばビールをジョッキ等に注ぐためのものである。前記第２注ぎ口５は、前記第１注ぎ口４とは異なり前記容器本体２内のビールを泡状にして、前記ジョッキに注がれたビールの上に注ぎ、泡の層をビールの上に形成するためのものである。
【００２３】
図５，６に示すように、前記第２注ぎ口５は、第１通路９、貯留部１０、第２通路１１、インナーノズル１２、アウターノズル１３、および手動式のピストン１４から構成される。前記第１通路９は前記第１注ぎ口４の下方に位置し、前記容器本体２と前記貯留部１０とを連通する水平方向に形成された通路である。前記第１通路９の上方は開放されて、前記第１注ぎ口４の一部と繋がった形状となっている。
【００２４】
前記貯留部１０は、前記第１注ぎ口４の底面から垂直方向に形成された略円筒形状を有し、上方で前記第１通路９と接続され、下方で前記第２通路１１と接続される。前記貯留部１０内に、手動式の前記ピストン１４が配置されており、前記ピストン１４は略円柱形状で側面が前記貯留部１０の内面と接する形状である。前記ピストン１４の上面には前記ピストン１４を前記貯留部１０内で手動で上下動させるための棒状の把持部１８が設けられており、前記把持部１８は、前記貯留部１０の上面（前記第1注ぎ口４の底面）から上方に形成された円筒形の開口部１９内に挿入されている。前記開口部１９は前記第１注ぎ口４内を貫通しており、前記把持部１８は、図１に示すように、前記開口部１９から上方に突出しているために、前記第１注ぎ口４から前記ピストン１４の把持部１８の一部が突出した状態となっている。
【００２５】
前記第２通路１１は前記貯留部１０の外側面に垂直方向に形成され、下端部が前記貯留部１０と接続され、上端部で前記インナーノズル１２と接続されることで、前記貯留部１０と前記インナーノズル１２とを連通する構造である。前記第２通路１１の断面は略矩形形状で、前記貯留部１０と接する面の下端に開口が設けられて、前記貯留部１０と連通し、前記貯留部１０とは反対側の面の上端に開口が設けられて、前記インナーノズル１２と連通されている。前記第２通路１１の上端部は、前記貯留部１０の上端部および前記第１注ぎ口４よりも上方に位置しており、前記第２通路１１はその内部を下から上へと液体が流れる通路として形成されている。
【００２６】
そして、前記貯留部１０および前記第２通路１１の底面は、取り外し可能なハウジングキャップ１５によって形成されている。前記ハウジングキャップ１５の平面形状は円形で、前記貯留部１０および前記第２通路１１の底面の両方をカバーする大きさである。そして、前記ハウジングキャップ１５は前記貯留部１０および前記第２通路１１とネジ係合する構造であり、そのため、前記貯留部１０および前記第２通路１１の下端は一体となり、円筒形の側面を有する形状となっており、前記側面が前記ハウジングキャップ１５の円筒形の側面とネジ係合する構造である。
【００２７】
前記ハウジングキャップ１５は、前記貯留部１０および前記第２通路１１の底面となる部分に円形のパッキン１６が設けられており、前記パッキン１６によって、前記貯留部１０および前記第２通路１１の密閉性を確保する。さらに、前記ハウジングキャップ１５は、底面から下方に前記容器本体２の底面と同一面まで延びる支持台１７を有し、前記支持台１７によって前記ハウジングキャップ１５だけでなく前記貯留部１０が保持される構造である。
【００２８】
図７に示すように、前記インナーノズル１２は、前記第２通路１１の側面から水平方向に延在する円筒形の本体部分の先端に位置する噴出口２０を有し、本体部分から噴出口２０に向かって先細り形状を有しており、前記第２通路１１の上端部の側面に固定されており、前記インナーノズル１２の後端が前記第２通路１１の開口と接続されて連通される構造である。そして、前記インナーノズル１２は、前記第２通路１１か送られてきた液体が前記インナーノズル１２の本体部分内を通過し、先細り形状の部分で加圧されて前記噴出口２０から噴射される構造である。前記噴出口２０の内径は、一例として２ｍｍとし、前記噴出口２０の中心の高さは、前記容器本体２の上面および前記第１注ぎ口４の上面よりも２ｍｍほど高い位置に設定されている。
【００２９】
図７に示すように、前記アウターノズル１３は、前記インナーノズル１２の外周に嵌め込まれて、着脱可能に取り付けられており、内周面が前記インナーノズル１２の外周面と密着する水平部分２１および前記水平部分２１から下方に傾斜した傾斜部分２２から構成され、円筒形を折り曲げた形状を有するノズルである。さらに、前記水平部２１の内面には、前記インナーノズル１２の噴出口２０から噴射された液体が衝突する位置に壁部２３が形成されている。
【００３０】
前記壁部２３は、前記噴出口２０と対向する位置に、前記噴出口２０の高さに合わせて、前記アウターノズル１３の水平部分２１の底面から、図１４（ａ）に示すように、内面の半分以上を塞ぐ高さまで形成されている。前記壁部２３は、前記噴出口２０の内径を２ｍｍとした場合、前記噴出口２０から水平方向に３〜４ｍｍ離れた位置に垂直方向に形成され、前記噴出口２０の上端と同じ高さに形成されている。
【００３１】
前記アウターノズル１３内部には、前記インナーノズル１２の噴出口２０の下方、および前記噴出口２０と前記壁部２３との間の空間が存在し、前記空間が液体を泡状にするために用いられる。前記噴出口２０から噴射された液体は、前記壁部２３と衝突して分散されて泡状になる。前記壁部２３を設けないで、前記噴出口２０から噴射された液体を前記アウターノズル１３の傾斜部分２２の内面に衝突させて泡状とすることも可能である。前記噴出口２０の内径、前記壁部２３の位置および形状等は、適宜変更可能である。また、前記第２注ぎ口５のその他の各部位の形状、位置等は適宜変更可能であり、様々な形態を用いることが可能であり、ここで説明したものに限定するものではない。
【００３２】
前記第２注ぎ口５によって液体を泡状にして注ぐ方法について説明する。まずは、前記ピッチャー１の容器本体２内にビールを注ぐ。この時、特に泡を形成するように注ぐ必要はなく、全く泡の無い状態でもよい。そして、前記ピッチャー１によってジョッキにビールを注ぐ動作を行うが、普通のピッチャーと同様に、前記持ち手３を持って前記容器本体２を傾けて、ジョッキに前記第１注ぎ口４からビールを注ぐ。この時、予め前記把持部１８を上に引っ張り上げることにより前記ピストン１４を、図５，６に示すように、上方へ移動させておき、前記第１通路９と前記貯留部１０が連通した状態にしておく。
【００３３】
前記第１注ぎ口４からジョッキにビールを注ぐために前記ピッチャー１を傾けると、最初は、図８の矢印Ａで示すように、主に前記第１通路９にビールが流れる。そして、前記第１通路９に流れたビールは前記貯留部１０に流入して貯留される。前記貯留部１０の容量は約１００ｃｃであり、直ぐに、前記貯留部１０はビールで満たされる。
【００３４】
前記貯留部１０がビールでいっぱいになるにつれて、図９の矢印Ｂで示すように、第１注ぎ口４にビールが流れて、ジョッキにビールが注がれる。前記第１注ぎ口４からジョッキにビールを注ぎ終わったら、前記ピッチャー１をテーブル等の上に置く。ジョッキを傾けている時は、前記貯留部１０内は、前記ピストン１４の底面までビールが貯留されているが、前記ピッチャー１を水平に戻すと、前記第１通路９を通じて前記貯留部１０内のビールの一部が前記容器本体２内へ逆流し、前記貯留部１０には、図１０，１１に示すように、前記第１通路９の下端までビールが貯留された状態となる。
【００３５】
このように、図１０，１１に示すように、前記貯留部１０そして前記第２通路１１の一部にビールが貯留された状態となったら、次に、前記第２注ぎ口５からジョッキに泡を注ぐために、ビールが注がれたジョッキを前記ピッチャー１のアウターノズル１３の下方に置いて、ジョッキに泡を注ぐ準備をする。ジョッキを所定の場所に置いたら、手で前記把持部１８を下方へ押して、図１２の矢印で示すように、前記ピストン１４を下方に移動させる。この時、前記持ち手３を握って前記ピッチャー１を固定しておくと安定する。
【００３６】
前記ピストン１４が下方に押されると、初めは前記ピストン１４によって前記貯留部１０の上方にある空気が前記第１通路９から押し出され、次に前記ピストン１４が前記第１通路９との連通部分を閉じると、前記貯留部１０が密閉されて前記貯留部１０内のビールが圧縮される。この時、前記貯留部１０は前記支持台１７によって保持されていることで、前記ピストン１４を作動させた時に前記ピッチャー１が転倒したりするのを防止することができる。
【００３７】
前記ピストン１４の作動により、図１２に示すように、前記貯留部１０内のビールが圧縮されると前記貯留部１０の下方から前記第２通路１１へと押し出されていく。そして、前記第２通路１１に移動されたビールは、前記第２通路１１内を下から上へと移動し、続いて前記第２通路１１の上端部の開口から前記インナーノズル１２へと移動し、さらに、前記噴出口２０から前記アウターノズル１３内へ噴射される。
【００３８】
前記噴出口２０から噴射されたビールは、図７（ｂ）に示すように、前記アウターノズル１３内の壁部２３に衝突して分散され、そして図７（ｃ）に示すように、前記アウターノズル１３内部に形成された、前記インナーノズル１２の噴出口２０の下方、および前記噴出口２０と前記壁部２３との間の空間に一時的に貯留され、さらに前記噴出口２０から連続して噴射されるビールによって攪拌されて、泡状になる。
【００３９】
前記泡状となったビールは、前記空間から溢れ出て前記壁部２３の上方を乗り越えるように移動して前記アウターノズル１３内を通過して、前記ジョッキに注がれる。このようにして、前記ジョッキのビールの上には、泡状となったビールが注がれて、前記ジョッキ内ではビールの上に泡の層が形成されていく。そして、前記ジョッキに必要な泡の層が形成されたら、前記ピストン１４の動作を停止する。このようにして、前記第２注ぎ口５から泡を注ぐ動作が完了する。
【００４０】
このように、本発明のピッチャー１は、前記ピストン１４を用いて貯留部１０内のビールを前記貯留部１０よりも狭い断面積の前記第２通路１１へと加圧して押し出し、さらに、狭くなった前記インナーノズル１２の噴出口２０からビールを加圧して噴射させることで、綺麗な泡を形成することができる。よって、本発明のピッチャー１は、従来のピッチャーと同様にジョッキにビールを注ぐ動作を行った後、ピストン１４を手で押すという簡単な動作を追加するだけで、ジョッキに綺麗な泡の層を新たに形成することが可能となる。
【００４１】
また、本発明のピッチャー１は、前記アウターノズル１３が着脱可能に取り付けられていることから、前記アウターノズル１３を取り外して、洗浄することが可能である。また、前記ハウジングキャップ１５も貯留部１０にねじ係合されていることから、前記ハウジングキャップ１５を取り外し、さらに、前記ピストン１４を前記貯留部１０の下方に移動させて取り外すことで、前記ハウジングキャップ１５および前記ピストン１４、そして、前記貯留部１０の内部も簡単に洗浄可能である。
【００４２】
また、前記第２通路１１の底面も前記ハウジングキャップ１５によって閉じられているので、前記ハウジングキャップ１５を取り外すと、前記第２通路１１内も洗浄可能である。前記第１通路９については、上方が開放されているので内部の洗浄は容易である。
【００４３】
このように、本発明のピッチャー１は、幾つかの部品を取り外し可能な構造とすることで、ビールが通過する箇所は全て簡単に洗浄可能となり、安全にそして清潔に繰り返し使用することができる。
【００４４】
前記ピッチャー１の前記第２注ぎ口５から注ぐ泡をより綺麗に形成するために、前記アウターノズル１３内にメッシュを配置することも可能である。例えば、前記壁部２３の外側の方にメッシュを配置すると、前記壁部２３の上方から出てくる泡をよりきめ細かなものとすることも可能である。
【００４５】
前記アウターノズル１３内に設けた前記壁部２３は、別の形態を用いることも可能である。例えば、図１３、図１４（ｂ）に示すような、複数の孔２４を設けた壁部２３’を、アウターノズル１３’内の前記噴出口２０の正面に設けることも可能である。前記孔２４の数は、図１４（ｂ）では３つと４つの場合を図示しているが、特に限定するものではなく、４つ以上の孔、あるいは１つの孔とすることも可能である。また、前記孔２４の配置、その大きさについても、様々な形態が可能である。
【００４６】
このように、孔２４を設けた壁部２３’を用いた場合、前記噴出口２０から噴射された液体は、図１３（ｂ）に示すように、前記壁部２３’と衝突して前記壁部２３’と前記インナーノズル１２との間の空間で分散されて泡状になる。そして、泡状になった液体は、図１３（ｃ）に示すように、前記壁部２３’に設けた孔２４を通過して、前記アウターノズル１３’の傾斜部分２２へと噴射され、ジョッキなどに注がれる。液体が前記孔２４を通過することでさらに圧力が加えられることになり、泡状の液体はさらにきめ細やかな状態になる。
【００４７】
このように、アウターノズル内に設ける壁部の形態については、よりきめ細かな泡を形成するために、噴出口から噴出された液体が衝突し、その後に液体の通過する通路が狭められるような形状であれば、様々な形態を用いることが可能である。
【００４８】
本発明のピッチャー１は、簡単に新たな泡を綺麗に形成することが可能となり、さらに、泡の形成がピストンを押すという今までにはない動作で行われることから、利用者が楽しみながら泡の形成を行うこともできる。また、ピッチャー１を半透明または透明な材質で形成することにより、泡が出来る様子を視覚的に楽しむことも可能である。
【符号の説明】
【００４９】
１    ピッチャー
２    容器本体
３    持ち手
４    第１注ぎ口
５    第２注ぎ口
６    蓋
７    内側部
８    外側部
９    第１通路
１０  貯留部
１１  第２通路
１２  インナーノズル
１３、１３’  アウターノズル
１４  ピストン
１５  ハウジングキャップ
１６  パッキン
１７  支持台
１８  把持部
１９  開口部
２０  噴出口
２１  水平部分
２２  傾斜部分
２３、２３’  壁部
２４  孔
【図１】
2014110837.tif 000003
【図２】
2014110837.tif 000004
【図３】
2014110837.tif 000005
【図４】
2014110837.tif 000006
【図５】
2014110837.tif 000007
【図６】
2014110837.tif 000008
【図７】
2014110837.tif 000009
【図８】
2014110837.tif 000010
【図９】
2014110837.tif 000011
【図１０】
2014110837.tif 000012
【図１１】
2014110837.tif 000013
【図１２】
2014110837.tif 000014
【図１３】
2014110837.tif 000015
【図１４】
2014110837.tif 000016